(57)【要約】【課題】用紙間の隙間を詰めるための減速段階において、先行する用紙の後端と後続の用紙の先端との衝突による用紙のもつれを防止する。【解決手段】搬送中の枚用紙から欠損紙を排除して、用紙を積層する用紙搬送装置１において、２つの減速搬送部により段階的に用紙間の隙間を詰めてオーバーラップさせ、第２減速搬送部６（及び／又は第１減速搬送部５）に用紙もつれ防止手段を設けて、欠損紙ＰＯ  （又は先行用紙ＰＭ  ）に後続する用紙ＰＮ  の前端を用紙もつれ防止手段（吸着ノズルＮ）により上方に吸引し、先行用紙ＰＭ  の上に用紙ＰＮ  の一部が重なった時点で前記吸引動作を解除する。用紙ＰＭ  の後端と用紙ＰＮ  の先端とが衝突することなく、各用紙が確実に積層される。【選択図】        図１
2004269101.tif 000002
【特許請求の範囲】
【請求項１】
連続用紙供給手段と断裁手段と加速搬送手段と欠損シート除去手段と１つ以上の減速搬送手段とからなるシート搬送装置であって、
前記連続用紙供給手段はロール状に捲かれた連続シートを供給するものであり、
前記断裁手段は前記連続用紙供給手段から供給されるロール状に捲かれた連続シートを一定寸法の枚葉シートに断裁するものであり、
前記加速搬送手段は前記枚葉シートを一定速度加速して各枚葉シート間に一定の間隔を形成するものであり、
前記欠損紙除去手段は前記枚葉シート中から欠損シートを検出しそれを除去して、欠損シートに先行するシートと欠損シートに後続するシートとの間に間隔を形成するものであり、
前記減速搬送手段は前記加速搬送手段の枚葉シートの搬送速度より一定速度減速して、各枚葉シートが先行する枚葉シートの上に後続の枚葉シートの一部が重なるオーバーラップ状態を形成する機能及び前記欠損シートの除去により発生した隙間を詰めると共に、先行する枚葉シートの上に後続の枚葉シートの一部が重なるオーバーラップ状態を形成する機能を有するものであり、
前記枚葉シートのオーバーラップ状態時に発生するシートのもつれを防止するシートもつれ防止手段を前記減速搬送手段に設けたことを特徴とするシートもつれ防止手段を備えたシート搬送装置。
【請求項２】
前記加速搬送手段に供給される枚葉シートは、積層された一定寸法の枚葉シートを１枚毎に分離したものであることを特徴とする前記請求項１に記載のシートもつれ防止手段を備えたシート搬送装置。
【請求項３】
前記シートもつれ防止手段は、先行する枚葉シートと後続する枚葉シートの間に所定の間隔がある状態で、搬送速度を減速してこれらのシート間の間隔を減少し且つ先行する枚葉シートの上に前記後続の枚葉シートの一部が重なるように搬送する際、前記後続する枚葉シートの搬送方向前端を上方に持ち上げて搬送することを特徴とする前記請求項１又は２に記載のシートもつれ防止手段を備えたシート搬送装置。
【請求項４】
前記シートもつれ防止手段は、吸引手段により後続する枚葉シートの搬送方向前端を吸引して上方に持ち上げ、先行する枚葉シートの上に前記後続の枚葉シートの一部が重なった時点で前記吸引動作を解除することを特徴とする前記請求項１、２又は３に記載のシートもつれ防止手段を備えたシート搬送装置。
【請求項５】
前記シートもつれ防止手段は、空気吹きつけ手段により後続する枚葉シートの搬送方向前端を下方向から空気を吹きつけて上方に持ち上げ、先行する枚葉シートの上に前記後続の枚葉シートの一部が重なった時点で前記吹きつけ動作を解除することを特徴とする前記請求項１、２又は３に記載のシートもつれ防止手段を備えたシート搬送装置。
【請求項６】
前記シートもつれ防止手段は、前記減速搬送手段におけるシートの両側端を上方から押さえる２つの上搬送ベルトに搬送方向に一定間隔で複数の連続した孔を設け、この孔の上から前記吸引手段により後続する枚葉シートの搬送方向前端を吸引して上方に持ち上げ、先行する枚葉シートの上に前記後続の枚葉シートの一部が重なった時点で前記吸引動作を解除することを特徴とする前記請求項１、２又は３に記載のシートもつれ防止手段を備えたシート搬送装置。
【発明の詳細な説明】
【０００１】
【発明の属する技術分野】
本発明は、連続シート（又は用紙）を一定寸法に断裁して枚葉シート（又は用紙）とし、この枚葉シート（又は用紙）から欠損シート（又は紙）を除去して、一定枚数の枚葉シート（又は用紙）を積層するシート搬送装置において、欠損シート（又は紙）除去後のシート積層段階で発生するシート（又は用紙）のもつれを防止するシート搬送装置に関する。
【０００２】
【従来の技術】
従来、連続用紙を一定寸法に断裁して枚葉紙とし、この枚用紙から欠損紙を除去して、一定枚数の枚葉紙を積層する用紙搬送装置１は、図１３に示すように、断裁部２と加速搬送部３と欠損紙除去部４と減速搬送部９と集積部７とから構成される。
【０００３】
断裁部２では、図６に示すように、連続用紙を一定寸法の枚葉紙に断裁し、断裁後の各枚用紙の間には、隙間がない状態である。前記断裁後の枚葉紙は加速搬送部３に搬送され、加速搬送部３において前記断裁後の枚葉紙の搬送速度より一定速度加速され各枚葉紙の間には、図７に示すように一定の間隔Ｌ１  が生じる。
【０００４】
これら枚葉紙中に、図８（ａ）に示すように、欠損紙ＰＯ  がある場合、その欠損紙ＰＯ  は欠損紙除去部４で除去され、前記欠損紙が除去された状態では、図８（ｂ）及び図１４（ａ）に示すように、欠損紙に先行する用紙ＰＭ  と欠損紙に後続する用紙ＰＮ  との間に、枚葉紙の長さをＬ２  とすると、２Ｌ１  ＋Ｌ２  の間隔が生じる。この間隔が生じた状態の枚葉紙は減速搬送部８に搬送され、減速搬送部８において搬送速度を減速することにより、図１４（ｃ）に示すように、枚葉紙は欠損紙の除去により発生した間隔を詰められると共に、先行する枚葉紙の上に後続の枚葉紙の一部が重なるオーバーラップ状態になり、この状態で集積部に搬送することにより、積層された枚葉紙が作成される。このように、従来の用紙搬送装置は、断裁後の枚葉紙を加速搬送部で搬送した後、減速搬送部で搬送することにより、先行する枚葉紙の上に後続の枚葉紙の一部が重なるオーバーラップ状態に積層するものがある（例えば、特許文献１参照。）が、前記欠損紙除去後の減速搬送部８における欠損紙の除去により発生した間隔を詰めるための減速段階で、図１４（ｄ）に示すように、欠損紙に先行する用紙ＰＭ  の後端と欠損紙に後続する用紙ＰＮ  の先端とが衝突して用紙のもつれが発生し、正確なオーバーラップ状態とならないという問題があった。
【０００５】
【特許文献１】
特許公報第２８０７２１６号（特に、第３頁
【０００６】及び図６）
【０００７】
前記欠損紙に先行する用紙の後端ＰＭ  と欠損紙に後続する用紙ＰＮ  の先端との衝突を防止する方法として、交わし爪を用いて欠損紙に先行する用紙ＰＭ  の後端を下方向に押さえながら、欠損紙に後続する用紙ＰＮ  の先端を上方向に持ち上げる方法も考えられるが、用紙のサイズ、厚み又は材質等が変わると、それに応じた交わし爪と取り替える必要が生じ、交わし爪の取り替え作業という煩雑さ、及び交わし爪を複数用意することによるコストの上昇という問題があった。
【０００８】
【発明が解決しようとする課題】
本発明は前記問題点を解消するもので、本発明の目的は、前記欠損紙除去後の減速搬送部における欠損紙の除去により発生した間隔を詰めるための減速段階において、先行する用紙の後端と後続の用紙の先端とが衝突して発生する用紙のもつれを防止することである。
【０００９】
【課題を解決するための手段】
（１）本発明は、連続用紙供給手段と断裁手段と加速搬送手段と欠損シート除去手段と１つ以上の減速搬送手段とからなるシート搬送装置であって、
前記連続用紙供給手段はロール状に捲かれた連続シートを供給するものであり、
前記断裁手段は前記連続用紙供給手段から供給されるロール状に捲かれた連続シートを一定寸法の枚葉シートに断裁するものであり、
前記加速搬送手段は前記枚葉シートを一定速度加速して各枚葉シート間に一定の間隔を形成するものであり、
前記欠損紙除去手段は前記枚葉シート中から欠損シートを検出しそれを除去して、欠損シートに先行するシートと欠損シートに後続するシートとの間に間隔を形成するものであり、
前記減速搬送手段は前記加速搬送手段の枚葉シートの搬送速度より一定速度減速して、各枚葉シートが先行する枚葉シートの上に後続の枚葉シートの一部が重なるオーバーラップ状態を形成する機能及び前記欠損シートの除去により発生した隙間を詰めると共に、先行する枚葉シートの上に後続の枚葉シートの一部が重なるオーバーラップ状態を形成する機能を有するものであり、
前記枚葉シートのオーバーラップ状態時に発生するシートのもつれを防止するシートもつれ防止手段を前記減速搬送手段に設けたシートもつれ防止手段を備えたシート搬送装置である。
【００１０】
（２）本発明は、前記（１）の加速搬送手段に供給される枚葉シートが、積層された一定寸法の枚葉シートを１枚毎に分離したものであるシートもつれ防止手段を備えたシート搬送装置である。
【００１１】
（３）本発明は、前記（１）のシートもつれ防止手段は、先行する枚葉シートと後続する枚葉シートの間に所定の間隔がある状態で、搬送速度を減速してこれらのシート間の間隔を減少し且つ先行する枚葉シートの上に前記後続の枚葉シートの一部が重なるように搬送する際、前記後続する枚葉シートの搬送方向前端を上方に持ち上げて搬送する前記（１）又は（２）に記載のシートもつれ防止手段を備えたシート搬送装置である。
【００１２】
（４）本発明は、前記（１）又は（３）の前記シートもつれ防止手段は、吸引手段により後続する枚葉シートの搬送方向前端を吸引して上方に持ち上げ、先行する枚葉シートの上に前記後続の枚葉シートの一部が重なった時点で前記吸引動作を解除する前記（１）、（２）又は（３）に記載のシートもつれ防止手段を備えたシート搬送装置である。
【００１３】
（５）本発明は、前記（１）又は（３）の前記シートもつれ防止手段は、空気吹きつけ手段により後続する枚葉シートの搬送方向前端を下方向から空気を吹きつけて上方に持ち上げ、先行する枚葉シートの上に前記後続の枚葉シートの一部が重なった時点で前記吹きつけ動作を解除する前記（１）、（２）又は（３）に記載のシートもつれ防止手段を備えたシート搬送装置である。
【００１４】
（６）本発明は、前記（１）又は（３）の前記シートもつれ防止手段は、前記減速搬送手段におけるシートの両側端を上方から押さえる２つの上搬送ベルトに搬送方向に一定間隔で複数の連続した孔を設け、この孔の上から前記吸引手段により後続する枚葉シートの搬送方向前端を吸引して上方に持ち上げ、先行する枚葉シートの上に前記後続の枚葉シートの一部が重なった時点で前記吸引動作を解除する前記（１）、（２）又は（３）に記載のシートもつれ防止手段を備えたシート搬送装置である。
【００１５】
（７）本発明は、前記枚葉シートが、シート状の紙である前記（１）乃至（６）の何れか１つに記載のシート搬送装置である。
【００１６】
【発明の実施の形態】
以下、本発明の実施の形態を図面に基づいて説明する。
本発明は、図１に示すように、用紙搬送装置１における欠損紙除去後の減速段階で発生する用紙もつれを防止するものであり、前記用紙搬送装置１は、断裁部２と加速搬送部３と欠損紙除去部４と第１減速搬送部５と第２減速搬送部６と集積部７から構成される。
【００１７】
断裁部２は、図６に示すように、連続用紙を一定寸法の枚葉紙に断裁し、断裁後の各枚用紙の間には隙間がない状態である。前記断裁後の用紙は加速搬送部３に搬送され、加速搬送部３において前記断裁後の枚葉紙の搬送速度より一定速度加速され各用紙の間には、図７に示すように、一定の間隔Ｌ１  が生じる。これら一定間隔を隔てて配置された用紙は欠損紙除去部４に搬送される。
【００１８】
これら枚葉紙中に、図８（ａ）に示すように、欠損紙ＰＯ  がある場合、その欠損紙ＰＯ  は欠損紙除去部４で除去され、欠損紙に先行する用紙ＰＭ  と欠損紙に後続する用紙ＰＮ  との間に、図８（ｂ）及び図１２（ａ）に示すように、用紙の長さをＬ２  とすると、２Ｌ１  ＋Ｌ２  の間隔が生じる。この隙間が生じた状態の用紙は第１減速搬送部５に搬送され、第１減速搬送部５において搬送速度が減速され、図１２（ｃ）に示すように、用紙ＰＮ＋１  とこれに先行する用紙ＰＮ  及び用紙ＰＭ  とこれに先行する用紙ＰＭ−１  は一部が重なるオーバーラップ状態になるが、欠損紙が除去された部分はその間隔が少し短縮されるものの、オーバーラップ状態とはならない。
【００１９】
次に、前記用紙群は第２減速搬送部６に搬送される。第２減速搬送部６おいて搬送速度が減速され、図１２（ｅ）に示すように、欠損紙Ｐ０  に後続する用紙ＰＮ  と欠損紙Ｐ０  に先行する用紙ＰＭ  の一部が重なるオーバーラップ状態になる。この状態で集積部７に搬送することにより、積層された枚葉紙が作成される。
【００２０】
本発明は、図１に示す、連続用紙を一定寸法に断裁して枚葉紙とし、この用紙群中から欠損紙を除去して、一定枚数の用紙を積層する用紙搬送装置１において、第２減速搬送部６及び／又は第１減速搬送部５に図２乃至図５に示すような、用紙もつれ防止装置６Ａ又は５Ａを設け、欠損紙除去後の第２減速搬送部５における欠損紙の排除により発生した間隔を詰めながら各用紙の一部が重なるオーバーラップ状態にするための減速段階、第１減速搬送部４における用紙間の間隔を詰めながら各用紙の一部が重なるオーバーラップ状態にする減速段階において、先行する用紙と後続する用紙とが夫々の端部り衝突等により生ずる用紙もつれを防止するものである。
【００２１】
本発明の用紙搬送装置１においては、第１減速搬送部５及び第２減速搬送部６により欠損紙除去後の用紙群の搬送速度を２段階で減速して徐々にその間隔を縮めて、その各減速段階で用紙もつれを防止装置により枚葉紙のもつれを防止するものであるが、減速搬送部は１でも良いし、２つ以上でもよい。なお、用紙もつれを防止装置は、第２減速搬送部６のみ設置してもある程度の効果を発揮するが、各減速搬送部に夫々設けることにより、よりその効果を発揮することができる。
【００２２】
前記用紙もつれ防止装置６Ａ又は５Ａは、第２減速搬送部６及び／又は第１減速搬送部５に用紙が到達次第、図１２（ｂ）又は（ｄ）に示すように、その用紙の先端を用紙吸引手段により吸引して上方に持ち上げ、先行する用紙の上に前記後続の用紙の一部が重なった時点で前記吸引動作を解除することにより、先行する用紙の後端と後続する用紙の先端とが衝突することなく、先行する用紙の上に後続の用紙の一部が確実に重なる状態が形成される。
【００２３】
なお、前記用紙搬送装置１として、連続用紙を一定寸法に断裁して枚葉紙とし、この枚葉紙からなる用紙群中から欠損紙を除去して、一定枚数の用紙を積層する用紙搬送装置１の例を示したが、枚葉紙が積層された積層用紙を１枚毎に分離した枚葉紙とし、この枚葉紙から欠損紙を除去する用紙搬送装置にも適用することができる。
【００２４】
また、本発明は、紙以外の樹脂又は金属等であっても、シート状のものであれば適用することができる。
【００２５】
【実施例】
本発明の用紙搬送装置１の第２減速搬送部６に用紙もつれ防止手段６Ａを設置した場合の実施例について以下に説明する。
第２減速搬送部６に設置される用紙もつれ防止手段６Ａは前述のように欠損紙Ｐ０  に後続する用紙ＰＮ  の前端を上方に持ち上げ、欠損紙Ｐ０  に先行する用紙ＰＭ  の上に前記後続の用紙の一部が重なった時点で前記吸引動作を解除することにより、前記用紙ＰＭ  と用紙ＰＮ  との衝突による用紙もつれを防止するものである。
【００２６】
前記用紙もつれ防止手段６Ａは、図２に示すように、吸着ノズルＮにより欠損紙Ｐ０  に後続する用紙ＰＮ  の搬送方向前端を上方に持ち上げながら、用紙ＰＮ  方向に搬送し、第２減速搬送部６で搬送速度を減速することにより、前記枚葉紙間に生じている間隔を詰めて、用紙ＰＭ  の上に紙ＰＮ  が一部重なった時点で前記吸引動作を解除することにより、先行する用紙ＰＭ  の後端と後続の用紙ＰＮ  の先端とが衝突することなく、確実に重なる状態が形成される。
【００２７】
用紙吸着装置６Ａ及び用紙もつれ防止動作の詳細を以下に説明する。
第２減速搬送部６は、図２に示すように、用紙の両側端を上方から押さえる２つの上搬送ベルト６ｂ１  及び６ｂ２  と用紙の両側端を下方から押さえ、前後に２つに分割された下搬送ベルト６１ｃ１  、６１ｃ２  及び６２ｃ１  、６２ｃ２  により用紙を上下から挟んで搬送方向に搬送するものであるが、上搬送ベルト６ｂ１  及び６ｂ２  には一定間隔で複数の開孔Ｈ１  〜Ｈ６  を設け、更に、下搬送ベルト６１ｃ１  、６１ｃ２  と下搬送ベルト６２ｃ１  、６２ｃ２  との隙間に光を照射する光照射部と前記照射光が用紙により反射した反射光を受光する受光部とからなる用紙検出センサＳを設けると共に、前記用紙検出センサＳが配置されている位置に対応する上搬送ベルト６ｂ１  及び６ｂ２  の開孔Ｈの上に吸着ノズルＮを設け、前記下搬送ベルトの隙間の位置では、前記欠損紙の排除により、用紙が存在していない場合、用紙検出センサＳはその受光部の反射光の受光量の一定値以下の検出により、識別部６ｃは用紙がないと判断する。また、用紙検出センサＳは用紙が存在する場合には、用紙検出センサＳは一定量以上の反射光を受光し、識別部６ｃは用紙が存在すると判断する。制御部６ｄは前記用紙なしの状態の直後の用紙ありの状態で、その用紙検出センサＳの上方にある吸着ノズルＮのバルブＶを開放させるので、その結果、吸着ノズルＮは吸着動作を開始し、前記排除後の欠損紙に後続する用紙ＰＮ  の前端は吸着され上方に持ち上げられる。以後欠損紙に先行する用紙ＰＭ  の上に排除後の欠損紙に後続する用紙ＰＮ  の一部が重なる状態の位置まで搬送し、この時点で吸着ノズルＮの吸着動作は停止するので、用紙ＰＮ  の前端が下方に落下して用紙ＰＭ  上に一部重なるオーバーラップ状態となり、これら用紙群は集積部７に搬送、集積される。
【００２８】
なお、第１減速搬送部５又はその他の減速搬送部（図示省略。）に用紙吸着装置５Ａを設ける場合も同様に、前記用紙検出センサＳが先行する用紙ＰＭ  の後端と後続の用紙ＰＮ  の先端の間に間隔（用紙がない）を検出すると、吸着ノズルＮは吸着動作を開始し、後続の用紙ＰＮ  の前端は吸着され上方に持ち上げられ、後続する用紙ＰＮ  の一部が先行する用紙ＰＭ  の上に重なった時点で吸着ノズルＮの吸着動作を停止させることにより、用紙ＰＮ  の前端が下方に落下して用紙ＰＭ  上に一部重なるオーバーラップ状態となり、これら用紙群は集積部７に第２減速搬送部６に搬送される。
【００２９】
第２減速搬送部６における用紙吸着装置６Ａの装置構成及び用紙もつれ防止動作の他の実施例を以下に説明する。
第２減速搬送部６は、図３に示すように、用紙の両側端を上方から押さえる２つの上搬送ベルト６ｂ１  及び６ｂ２  は前記実施例と同一の構成であるが、用紙の両側端を下方から押さえる下搬送ベルトは前記実施例と異なり、前後に２つに分割されずに一体構造の２つの下搬送ベルト６ｃ１  及び６ｃ２  であり、これら上搬送ベルト６ｂ１  及び６ｂ２  と下搬送ベルト６ｃ１  及び６ｃ２  により、用紙を上下から挟んで搬送方向に搬送するものであるが、上搬送ベルト６ｂ１  及び６ｂ２  には一定間隔で複数の開孔Ｈ１  〜Ｈ６  を設け、更に、下搬送ベルト６ｃ１  及び６ｃ２  には前記上搬送ベルト６ｂ１  及び６ｂ２  の各開孔Ｈ１  〜Ｈ６  の対応する位置に開孔ｈ１  〜ｈ６  を設けると共に、前記上搬送ベルト６ｂ１  及び６ｂ２  の各開孔Ｈ１  〜Ｈ６  の上に吸着ノズルＮ１  〜Ｎ６  を設け、前記下搬送ベルト６ｃ１  及び６ｃ２  の各開孔ｈ１  〜ｈ６  の下に用紙検出センサＳ１  〜Ｓ６  を設ける。なお、前記用紙吸着装置６Ａと同じものを第１減速搬送部５の用紙吸着装置５Ａとして用いることができる。
【００３０】
前記実施例における欠損紙に後続する用紙の位置の検出動作について、以下に説明する。
前記用紙検出センサＳ１  〜Ｓ６  は光を照射する光照射部と前記照射光が用紙により反射した反射光を受光する受光部とからなり、図３に示すように、前記欠損紙の排除により、例えば、下搬送ベルト６ｃ１  及び６ｃ２  上の用紙ＰＭ  と用紙ＰＮ  の間の欠損紙が排除され、下搬送ベルト６ｃ１  及び６ｃ２  の開孔ｈ２  及びｈ３  の位置には用紙が存在していないので、用紙検出センサＳ２  及びＳ３  はその受光部の反射光の受光量の一定値以下の検出により、識別部６ｃは用紙がないと判断する。また、用紙検出センサＳ４  は下搬送ベルト６ｃ１  及び６ｃ２  の開孔ｈ４  の位置に用紙ＰＮ  が存在するので、用紙検出センサＳ４  は一定量以上の反射光を受光し、識別部６ｃは用紙が存在すると判断する。制御部６ｄは前記用紙なしの状態の直後の用紙ありの状態で、その用紙検出センサＳ４  に対応する位置の上方にある吸着ノズルＮ４  のバルブＶ４  を開放させるので、その結果、吸着ノズルＮ４  は吸着動作を開始し、前記排除後の欠損紙に後続する用紙ＰＮ  の前端は吸着され上方に持ち上げられる。以後前記実施例と同様に、欠損紙に先行する用紙ＰＭ  の上に排除後の欠損紙に後続する用紙ＰＮ  の一部が重なる状態の位置まで搬送し、用紙ＰＮ  の前端が下方に落下して用紙ＰＭ  上に一部重なるオーバーラップ状態から集積部（図示せず。）に搬送、集積される。なお、第１減速搬送部５に用紙吸着装置５Ａを設ける場合も同様である。
【００３１】
前記用紙吸着装置６Ａは、図４（第２減速搬送部６の平面図）に示すように、その用紙吸着部６ａを構成する吸着ノズルＮのバルブＶを開放することにより、所定位置の用紙を吸着させる構造であるが、他の実施例として、図５（第２減速搬送部６の平面図）に示すように、２つの上搬送ベルト６ｂ１  及び６ｂ２  に直交する方向に各用紙吸着部６ａを設け、上搬送ベルト６ｂ１  及び６ｂ２  の夫々の開孔ＨＲ  及びＨＬ  の上に位置する吸着ノズルＮを一対として連結して各用紙吸着部６ａを構成し、所定位置の用紙吸着部６ａの吸着ノズルＮのバルブＶを開放することにより、所定位置の用紙を吸着させることもできる。なお、第１減速搬送部５に設ける用紙吸着装置５Ａの場合も同様である。
【００３２】
なお、前記実施例においては、欠損紙に後続する用紙ＰＮ  又は欠損紙に先行する用紙用紙ＰＭ  の（搬送方向）前端を上方に持ち上げる方法として、吸着ノズルＮにより吸着する説明したが、空気噴射ノズル等により前記用紙ＰＮ  の（搬送方向）前端を上方に持ち上げる方法を用いることもできる。
【００３３】
【発明の効果】
本発明は、枚葉紙からなる用紙中から欠損紙を除去して、一定枚数の用紙を積層する用紙搬送装置において、少なくとも第２減速搬送部に、欠損紙に後続する用紙の前端を上方に持ち上げ、該用紙が欠損紙に先行する用紙の上に一部が重なる位置で、該用紙の前端を下方に落下させる用紙もつれ防止手段を設けることにより、前記第２減速搬送部で発生する欠損紙に先行する用紙の後端と欠損紙に後続する用紙の先端とが衝突して発生する用紙のもつれを確実且つ簡単に防止することができる。
【００３４】
また、本発明は、前記用紙搬送装置の第１減速搬送部に、後続する用紙の前端を上方に持ち上げ、該用紙が先行する用紙の上に一部が重なる位置で、該用紙の前端を下方に落下させる用紙もつれ防止手段を設けることにより、前記第１減速搬送部で発生する、前記先行する用紙の後端と後続する用紙の先端とが衝突して発生する用紙のもつれを確実且つ簡単に防止することができる。
【００３５】
また、本発明は、前記用紙搬送装置の第１減速搬送部及び第２減速搬送部に、前記用紙もつれ防止手段を設けることにより、前記第１減速搬送部及び第２減速搬送部で発生する用紙のもつれを確実且つ簡単に防止することができる。
【００３６】
また、本発明は、前記用紙搬送装置の減速動作を、第１減速搬送部及び第２減速搬送部により、２段階で行うことにより、用紙のもつれを減少することができる。
【図面の簡単な説明】
【図１】本発明の用紙搬送装置の概略構成を示す図（側面図）である。
【図２】本発明の第１の実施例である用紙もつれ防止手段を備えた下搬送ベルトが２つに分割された用紙搬送装置の第２減速部の構成を示す図（側面図）である。
【図３】本発明の第２の実施例である用紙もつれ防止手段を備えた１つの連続した下搬送ベルトからなる用紙搬送装置の第２減速部の構成を示す図（側面図）である。
【図４】本発明における用紙もつれ防止手段を備えた用紙搬送装置の第２減速部の実施例を示す図（平面図）である。
【図５】本発明における用紙もつれ防止手段を備えた用紙搬送装置の第２減速部の他の実施例を示す図（平面図）である。
【図６】本発明及び従来の用紙搬送装置の断裁部での用紙の状態を示す図（平面図）である。
【図７】本発明及び従来の用紙搬送装置の加速搬送部での用紙の状態を示す図（平面図）である。
【図８】本発明及び従来の用紙搬送装置の欠損紙排除部での用紙の状態を示す図（平面図）である。
【図９】本発明の用紙搬送装置の第１減速部での用紙の状態を示す図（平面図）である。
【図１０】本発明の用紙搬送装置の第２減速部での用紙の状態を示す図（平面図）である。
【図１１】本発明の用紙搬送装置の第２減速部で用紙吸着手段を用いた時の用紙の状態を示す図（斜視図）である。
【図１２】本発明の用紙搬送装置の欠損紙排除部〜第２減速部迄の用紙の状態を示す図（側面図）である。
【図１３】従来の用紙搬送装置の概略構成を示す図（側面図）である。
【図１４】従来の用紙搬送装置の減速搬送部での用紙の状態を示す図（側面図）である。
【符号の説明】
１    用紙搬送装置
１Ａ  従来の用紙搬送装置
２    断裁部
３    加速搬送部
４    欠損紙排除手段
５    第１減速搬送部
６    第２減速搬送部
ＰＯ    欠損紙
ＰＭ    欠損紙に先行する枚葉紙
ＰＮ    欠損紙に後続する枚葉紙
Ｎ    吸着ノズル
６Ａ  用紙もつれ予防装置
６ａ  用紙吸着部
６ｂ１    上搬送ベルト
６ｂ２    上搬送ベルト
Ｈ１  〜Ｈ６  開孔
Ｎ１  〜Ｎ６  吸着ノズル
Ｖ１  〜Ｖ６  バルブ
Ｐ    ポンプ
６ｃ１  下搬送ベルト
６ｃ２  下搬送ベルト
ｈ１  〜ｈ６  開孔
Ｓ１  〜Ｓ６  用紙センサ
６ｃ  識別部
６ｄ  制御部
７    集積部
８    減速搬送部（従来の用紙搬送装置）
【図１】
2004269101.tif 000003
【図２】
2004269101.tif 000004
【図３】
2004269101.tif 000005
【図４】
2004269101.tif 000006
【図５】
2004269101.tif 000007
【図６】
2004269101.tif 000008
【図７】
2004269101.tif 000009
【図８】
2004269101.tif 000010
【図９】
2004269101.tif 000011
【図１０】
2004269101.tif 000012
【図１１】
2004269101.tif 000013
【図１２】
2004269101.tif 000014
【図１３】
2004269101.tif 000015
【図１４】
2004269101.tif 000016